(57)【特許請求の範囲】
【請求項１】
画像を表示させる画像処理装置であって、
画像を構成する複数の特徴領域として、顔を構成する複数の特徴領域の優先度を記憶する優先度記憶部と、
画像の画像データから顔検出処理を実行して、特徴領域の画像データとして、前記顔を構成する前記複数の特徴領域の画像データを抽出する画像データ抽出部と、
画像表示部を制御して、前記画像の画像データから前記画像データ抽出部によって抽出された前記顔を構成する前記複数の特徴領域の画像データに基づいて、前記画像を、前記優先度記憶部に記憶された優先度に従って前記顔を構成する複数の特徴領域ごとに徐々に表示させる画像表示制御部と、を備える、
画像処理装置。
【請求項２】
前記画像データ抽出部は顔検出処理を実行して、特徴領域の画像データとして、少なくとも顔の輪郭の画像データを抽出し、
前記優先度記憶部は、前記顔の輪郭を最大の優先度を有する特徴領域として記憶し、
前記画像表示制御部は、前記画像を表示させる際、画像表示部を制御して、前記画像の画像データから前記画像データ抽出部によって抽出された前記顔の輪郭の画像データに基づいて、前記顔の輪郭を最初に表示させることを特徴とする、
請求項１に記載の画像処理装置。
【請求項３】
前記画像データ抽出部は、顔検出処理を実行して、特徴領域の画像データとして、少なくとも目、鼻、口の領域の画像データをさらに抽出し、
前記優先度記憶部は、少なくとも目、鼻、口を特徴領域として優先度の高い順に記憶し、
前記画像表示制御部は、前記画像を表示させる際、前記画像表示部を制御して、前記画像の画像データから前記画像データ抽出部によって抽出された前記目、鼻、口の画像データに基づいて、前記画像を目、鼻、口の順に徐々に表示させることを特徴とする、
請求項１に記載の画像処理装置。
【請求項４】
画像に絵画変換処理を実行して絵画変換画像を生成する絵画変換部をさらに備え、
前記絵画変換部は前記画像の画像データに絵画変換処理を実行して、絵画変換画像の画像データを生成し、
前記画像表示制御部は、前記画像を徐々に表示させる際、前記画像表示部を制御して、
前記絵画変換部によって生成された前記絵画変換画像の画像データから前記画像データ抽出部によって抽出された前記複数の特徴領域の画像データに基づいて、前記優先度記憶部に記憶された優先度に従って前記絵画変換画像を特徴領域ごとに徐々に表示させることを特徴とする、
請求項１から３迄の何れかに記載の画像処理装置。
【請求項５】
画像の画像データを記憶する画像記憶部をさらに備え、
前記画像記憶部は、
前記絵画変換部が前記画像の画像データに絵画変換処理を実行して生成した絵画変換画像の画像データと、
前記絵画変換部が前記絵画変換画像を生成するために絵画変換処理を実行した前記画像を元画像として、該元画像の画像データと、を記憶し、
前記画像データ抽出部は、前記画像記憶部に記憶された前記元画像の画像データから前記複数の特徴領域の画像データを抽出し、さらに、前記絵画変換画像の画像データを抽出し、
前記画像表示制御部は、前記画像を徐々に表示させる際、
前記画像データ抽出部によって抽出された前記元画像の画像データの前記複数の特徴領域の画像データと、前記絵画変換画像の画像データとに基づいて、
前元画像を特徴領域ごとに順に表示させた後に、前記絵画変換画像を表示させることを特徴とする、
請求項４に記載の画像処理装置。
【請求項６】
画像の画像データを記憶する画像記憶部をさらに備え、
前記画像記憶部は、
前記絵画変換部が前記画像の画像データに絵画変換処理を実行して生成した絵画変換画像の画像データと、
前記絵画変換部が前記絵画変換画像を生成するために絵画変換処理を実行した前記画像を元画像として、該元画像の画像データと、を記憶し、
前記画像データ抽出部は、前記画像記憶部に記憶された前記元画像の画像データと前記絵画変換画像の画像データからそれぞれ前記複数の特徴領域の画像データを抽出し、
前記画像表示制御部は、前記画像を徐々に表示させる際、
前記画像データ抽出部によって抽出された前記元画像の画像データと前記絵画変換画像の画像データのそれぞれの前記複数の特徴領域の画像データに基づいて、
前記元画像の特徴領域を一つ表示させるたびに、前記絵画変換画像の対応する特徴領域を表示させることを特徴とする、
請求項４に記載の画像処理装置。
【請求項７】
画像を表示させる画像処理方法であって、
画像を構成する複数の特徴領域として、顔を構成する複数の特徴領域の優先度を記憶する優先度記憶ステップと、
画像の画像データから顔検出処理を実行して、特徴領域の画像データとして、前記顔を構成する前記複数の特徴領域の画像データを抽出する画像データ抽出ステップと、
画像表示部を制御して、前記画像の画像データから前記画像データ抽出ステップによって抽出された前記顔を構成する前記複数の特徴領域の画像データに基づいて、前記画像を、前記優先度記憶ステップに記憶された優先度に従って前記顔を構成する複数の特徴領域ごとに徐々に表示させる画像表示制御ステップと、を備える、
画像処理方法。
【請求項８】
コンピュータに画像表示部を制御させて画像を表示させる画像処理プログラムであって、
該コンピュータを、
画像を構成する複数の特徴領域として、顔を構成する複数の特徴領域の優先度を記憶する優先度記憶部と、
画像の画像データから顔検出処理を実行して、特徴領域の画像データとして、前記顔を構成する前記複数の特徴領域の画像データを抽出する画像データ抽出部と、
画像表示部を制御して、前記画像の画像データから前記画像データ抽出部によって抽出された前記顔を構成する前記複数の特徴領域の画像データに基づいて、前記画像を、前記優先度記憶部に記憶された優先度に従って前記顔を構成する複数の特徴領域ごとに徐々に表示させる画像表示制御部と、して機能させるための、
画像処理プログラム。
【発明の詳細な説明】
【技術分野】
【０００１】
本発明は、画像処理装置及び方法、並びにプログラムに関し、特に、画像の表示技術に関する。
【背景技術】
【０００２】
一般に、複数の画像を画面を切り替えて表示するスライドショー形式の表示方式が知られている。従来、スライドショー形式で複数の画像を逐次切り替え表示する技術として、例えば、複数の画像をそのタイトル別にソートしてスライドショー形式で画像表示を行う画像再生装置が知られている（特許文献１参照）。また、複数の画像を類似度に応じてソートしてスライドショー形式で表示を行う画像データ逐次表示装置も知られている（特許文献２参照）。さらに、表示する画像と画像の区切りにおいて、フェード効果、ワイプ効果、オーバーラップ効果などの特殊効果を実行して、画像と画像の区切りを識別可能とした表示方法も提案されている（特許文献３参照）。
【先行技術文献】
【特許文献】
【０００３】
【特許文献１】特開平１１−３４４７７１号公報
【特許文献２】特開２０００−０６７０５７号公報
【特許文献３】特開２００５−１６７６８９号公報
【発明の概要】
【発明が解決しようとする課題】
【０００４】
しかしながら、上述した特許文献１、２の技術にあっては、複数の画像を逐次切り替え表示する際に、画像表示する順序を決定するものであり、表示順に応じたスライドショーの効果しか得ることができない。
【０００５】
一方で、図９に示すように、写真画像Ａに続いて、絵画変換画像Ｂ２を表示する場合ように、例えば、観賞価値の高い画像を切り替えて表示する場合、特許文献３に記載の技術のようにフェード効果、ワイプ効果、オーバーラップ効果などの特殊効果を用いて表示することは、鑑賞時間を引き立てる意味で一定の効果がある。しかし、画像が表示される迄の時間を延ばしても、画像を観賞するユーザに画像に時間を浪費させてしまい、ユーザを退屈させることにもなりかねない。そこで、画像を表示する際に、ユーザを楽しませることができる効果的で趣向を凝らした画像の表示方式が求められている。
【０００６】
そこで、本発明は、ユーザを楽しませることができる趣向を凝らした画像の表示方式を実行することができる画像処理装置及び方法、並びにプログラムを提供することを目的とする。
【課題を解決するための手段】
【０００７】
本発明の第１の観点によると、画像を表示させる画像処理装置であって、画像を構成する複数の特徴領域として、顔を構成する複数の特徴領域の優先度を記憶する優先度記憶部と、画像の画像データから顔検出処理を実行して、特徴領域の画像データとして、前記顔を構成する前記複数の特徴領域の画像データを抽出する画像データ抽出部と、画像表示部を制御して、前記画像の画像データから前記画像データ抽出部によって抽出された前記顔を構成する前記複数の特徴領域の画像データに基づいて、前記画像を、前記優先度記憶部に記憶された優先度に従って前記顔を構成する複数の特徴領域ごとに徐々に表示させる画像表示制御部と、を備える、画像処理装置を提供する。
【０００８】
本発明の第２の観点によると、画像を表示させる画像処理方法であって、画像を構成する複数の特徴領域の優先度を記憶する優先度記憶ステップと、画像の画像データから前記複数の特徴領域の画像データを抽出する画像データ抽出ステップと、画像表示部を制御して、前記画像の画像データから前記画像データ抽出ステップによって抽出された前記複数の特徴領域の画像データに基づいて、前記画像を、前記優先度記憶ステップに記憶された優先度に従って特徴領域ごとに徐々に表示させる画像表示制御ステップと、を備える、画像処理方法を提供する。
【０００９】
本発明の第３の観点によると、コンピュータに画像表示部を制御させて画像を表示させる画像処理画像処理プログラムであって、該コンピュータを、画像を構成する複数の特徴領域の優先度を記憶する優先度記憶部と、画像の画像データから前記複数の特徴領域の画像データを抽出する画像データ抽出部と、画像表示部を制御して、前記画像の画像データから前記画像データ抽出部によって抽出された前記複数の特徴領域の画像データに基づいて、前記画像を、前記優先度記憶部に記憶された優先度に従って特徴領域ごとに徐々に表示させる画像表示制御部と、して機能させるための、画像処理プログラムを提供する。
【発明の効果】
【００１０】
本発明によれば、ユーザを楽しませることができる趣向を凝らした方式で画像を表示させることができる。
【図面の簡単な説明】
【００１１】
【図１】本発明の一実施形態に係るフォトフレームのハードウェアの構成を示すブロック図である。
【図２】図１のフォトフレームのデータ処理部の機能的構成を示す機能ブロック図である。
【図３】図２のデータ処理部によって実行されるスライドショー形式の画像表示の概要を示す図である。
【図４】図２のデータ処理部によって実行されるスライドショー形式の表示方式の一例を示す図である。
【図５】図２のデータ処理部によって実行される絵画変換処理を含むスライドショー処理の流れの一例を説明するフローチャートである。
【図６】図２のデータ処理部の各構成部の機能とスライドショー形式の画像生成との関係を示す図である。
【図７】図２のデータ処理部によって実行されるスライドショー形式の他の表示方式の一例を示す図である。
【図８】図２のデータ処理部の絵画変換内容記憶部に記憶される絵画変換処理内容テーブルの一例を示す図である。
【図９】従来のスライドショー形式の画像表示の各種表示態様を示す図である。
【発明を実施するための形態】
【００１２】
以下、本発明の実施形態に係る画像処理装置を、図面を参照して説明する。なお、以下では、画像処理装置の一例としてフォトフレームを用いて説明するが、画像処理装置は、表示装置を制御して画像を表示させる機能を備えた装置であればよい。
【００１３】
以下、図面を参照して、本発明の実施形態について説明する。
【００１４】
［フォトフレームの構成］
図１乃至図４を参照して、本発明の一実施形態に係るフォトフレーム１について説明する。なお、図１は、フォトフレーム１の内部のハードウェア構成を示すブロック図である。また、図２は、フォトフレーム１のデータ処理部１２の機能的構成を示す機能ブロック図である。また、図３は、データ処理部１２によって実行されるスライドショー形式の画像の表示方式の概要を示す図である。図４は、データ処理部１２によって実行されるスライドショー形式の表示方式の一例を示す図である。
【００１５】
図１に示すように、フォトフレーム１は、データ処理部１２と、ユーザインタフェース部１３と、を備える。
【００１６】
データ処理部１２は、ＣＰＵ（Ｃｅｎｔｒａｌ  Ｐｒｏｃｅｓｓｉｎｇ  Ｕｎｉｔ）３１と、ＲＯＭ（Ｒｅａｄ  Ｏｎｌｙ  Ｍｅｍｏｒｙ）３２と、ＲＡＭ（Ｒａｎｄｏｍ  Ａｃｃｅｓｓ  Ｍｅｍｏｒｙ）３３と、メモリ３４と、表示制御部３５と、画像処理部３６と、を備えている。
【００１７】
ＣＰＵ３１は、ＲＯＭ３２に記録されているプログラムに従って各種の処理を実行する。本実施形態のフォトフレーム１は、後述する、複数の画像に逐次切り替えて表示するスライドショーモードとスライドショー設定モードとを動作形態として有する。スライドショー設定モードにおいて本実施形態のフォトフレーム１は、スライドショーモードで実行される各種処理の設定をユーザが指定することができる。ＲＯＭ３２には、例えば、後述する顔検出処理、絵画変換処理を含む、スライドショーモード及びスライドショー設定モード時の各種処理、及び、表示制御部３５、画像処理部３６、表示部４１、操作部４３、通信部４４、ドライブ４５を含む各種機能を実行するための各種プログラムが記憶されている。ＣＰＵ３１が、ＲＯＭ３２に記憶されているプログラムに従って処理を行うことで、表示制御部３５、画像処理部３６、表示部４１、操作部４３、通信部４４、ドライブ４５を含む各種機能、及び、スライドショー設定モード、スライドショーモード、後述する顔検出処理、絵画変換処理を含む各種処理が実現される。
ＲＡＭ３３には、ＣＰＵ３１が各種の処理を実行する上において必要なデータなどが適宜記憶される。
【００１８】
メモリ３４は、ＤＲＡＭ（Ｄｙｎａｍｉｃ  Ｒａｎｄｏｍ  Ａｃｃｅｓｓ  Ｍｅｍｏｒｙ）やＲＯＭ（Ｒｅａｄ  Ｏｎｌｙ  Ｍｅｍｏｒｙ）などで構成される。ＤＲＡＭは、イメージセンサ２２から出力された画像データが一時的に記憶される表示バッファを構成するとともに、ＣＰＵ３１の作業領域を構成する。ＲＯＭには、絵画変換内容等を含む、各種画像処理に必要な画像データ、パラメータ、各種フラグの値、閾値などが記憶される。メモリ３４には、画像表示用の画像データ（以下、「表示画像データ」と呼ぶ）の保存と読み出しを行うための表示メモリ領域も含まれている。
【００１９】
表示制御部３５は、メモリ３４の表示メモリ領域に格納された表示画像データを読み出し、表示画像データにより表現される画像（以下、「表示画像」と呼ぶ）を、ユーザインタフェース部１３の表示部４１に表示させる制御を実行する。例えば、表示制御部３５は、当該表示画像データに基づいてＲＧＢ信号を生成し、当該ＲＧＢ信号を表示部４１に供給することにより、表示画像を表示部４１に表示させる。
【００２０】
画像処理部３６は、ＤＳＰ（Ｄｉｇｉｔａｌ  Ｓｉｇｎａｌ  Ｐｒｏｃｅｓｓｏｒ）などで構成され、メモリ３４に記憶された画像データに対して、ホワイトバランス補正処理やγ補正処理などの各種画像処理を実行する。本実施形態では、図２を参照して後述する顔検出部１０３及び絵画変換部１０４が実行する各種画像処理のうち少なくとも一部が、画像処理部３６において実行され、残りの一部がＣＰＵ３１において実行される。即ち、本実施形態では、後述する顔検出部１０３及び絵画変換部１０４は、ＣＰＵ３１及び画像処理部３６というハードウェアと、ＲＯＭ３２に記憶されたプログラム（ソフトウェア）との組み合わせとして構成されている。
【００２１】
ユーザインタフェース部１３は、フォトフレーム１の筐体に設けられたディスプレイなどで構成される表示部４１と、ユーザの指示操作を受け付ける操作部４３と、外部機器との間での通信を制御する通信部４４と、画像データを記憶するリムーバブル記憶媒体５１に対するデータの読み書きを行うドライブ４５と、を備えている。なお、リムーバブル記憶媒体５１は、データ処理部１２により生成された画像データを記憶する。リムーバブル記憶媒体５１は、例えば、メモリカードなどにより実現され、記憶手段を構成する。
【００２２】
なお、表示制御部３５により生成されたＲＧＢ信号は、ユーザインタフェース部１３の通信部４４、又は、ドライブ４５により制御されるリムーバブル記憶媒体５１を介して、図示せぬ外部機器に出力させることもできる。これにより、外部機器、例えば、テレビジョン受像機、パソコン、プロジェクタなどでも、表示画像の表示が可能になる。
【００２３】
また、操作部４３は、図示は省略するが、電源ボタン、ズームキー、及びモード切替キーなどを含み、各操作に基づき操作信号を発生してデータ処理部１２へ送出する。例えば、操作者によりモード切替キーが操作されて、スライドショーモードが指定されると、操作信号がデータ処理部１２に送られ、ＣＰＵ３１は、モードを指定されたスライドショーモードに切り替える。同様に、操作者によりモード切替キーが操作されて、スライドショー設定モードが指定されると、ＣＰＵ３１は、モードを指定されたスライドショー設定モードに切り替える。この他にも操作者による操作部４３の操作に伴い、各種操作信号がデータ処理部１２に送られ、ＣＰＵ３１は、操作信号に応じて処理を行う。
【００２４】
次に、図２を参照して、データ処理部１２の機能的構成について説明する。
【００２５】
データ処理部１２は、メモリ３４と、表示制御部３５と、顔検出部１０３と、絵画変換部１０４と、表示データ生成部１０５を備えている。また、データ処理部１２のメモリ３４内には、原フレーム記憶部１１１と、絵画変換内容記憶部１１３と、絵画変換画像記憶部１１４と、表示データ記憶部１１５と、が構成されている。本発明に係わる画像処理装置はデータ処理部１２のみで構成することもできる。
【００２６】
なお、原フレーム記憶部１１１には、リムーバブル記憶媒体５１から読み出されたフレーム画像の画像データ、又は、通信部４４から取得されたフレーム画像の画像データも、原フレーム画像の画像データとして記憶される。
【００２７】
絵画変換内容記憶部１１３には様々な絵画変換処理内容が記憶されている。それぞれの絵画変換処理内容には、図示は省略するが、スライドショーモード時に画像を特徴領域ごとに順に表示する順序、即ち、特徴領域ごとの優先度を規定する表示様式、及び絵画変換処理で用いる詳細なパラメータをさらに設定することができる。絵画変換内容記憶部１１３は、優先度記憶部を構成する。
【００２８】
顔検出部１０３は、原フレーム記憶部１１１に記憶された画像データから特徴点を抽出して被写体の顔領域、顔の大きさ等を検出する。例えば、顔検出部１０３は、特開２００１−１６５７３号公報などに記載された特徴点抽出処理によって、最初に、眉、目、鼻、口の各端点、顔の輪郭点、頭頂点や顎の下端点などの顔の特徴点を抽出する。顔検出部１０３は、このようにして検出した特徴点から周辺のエッジ情報を得ることで、眉、目、鼻、口の各領域を特徴領域として画定し、眉、目、鼻、口の各領域、及びそれらの境界を輪郭として決定し、それらの位置情報を取得することができる。
【００２９】
顔検出部１０３が顔を検出し、特徴領域を決定する方法として、この他にも、輝度画像データに基づいて、画像データから顔画像領域を検出し、検出した顔画像領域内の画像情報を顔枠情報として生成する方法など、様々な方法が可能である。顔検出処理については、公知の技術であるので、ここでは詳細な説明を省略する。顔検出部１０３が顔を検出し、特徴領域及び輪郭を決定する方法は、上述の方法に限定されず、妥当であれば、如何なる手法を用いてもよい。
【００３０】
絵画変換部１０４は、原フレーム記憶部１１１に記憶された画像データに対して絵画変換内容記憶部１１３に記憶された絵画変換処理内容のうち指定された絵画変換処理内容に従って絵画変換処理を実行する。かかる絵画変換処理は、例えば、アドビシステム社のソフトウェアであるフォトショップ（登録商標）等の市販のソフトウェアを用いて行うこともできる。
【００３１】
本実施形態では、絵画変換部１０４が実行する絵画変換処理内容は、スライドショー設定モードにおいて、ユーザが操作部４３を操作して絵画変換内容記憶部１１３の絵画変換処理内容を指定することによって設定可能である。さらに、かかる絵画変換処理で用いる詳細なパラメータも、スライドショー設定モードにおいて、ユーザが操作部４３を操作して絵画変換内容記憶部１１３のパラメータを指定することによって調整可能である。絵画変換部１０４は、こうして指定された絵画変換処理内容、及び詳細なパラメータに従って絵画変換処理を実行する。
【００３２】
具体的には、絵画変換部１０４は絵画変換内容記憶部１１３に記憶された絵画変換処理内容から指定された絵画変換処理内容とパラメータに従って、原フレーム記憶部１１１に記憶された画像データを特定の絵画調の画像データに変換する。絵画変換部１０４は画像データを絵画調の画像データに変換する際、画像データの全体を一括して変換してもよいし、必要に応じて、特徴領域ごと部分的に変換してもよい。
【００３３】
ここで、絵画調とは、画像から感じることができる印象に基づいて規定されるもので、「日本絵画調」、「西洋絵画調」、「水彩絵画調」、「水墨絵画調」、「ペン絵画調」、「ゴッホ調」など、様々な分類がある。絵画変換処理する際のパラメータとして、一例をあげると、例えば、コントラスト、明るさ、色の濃さ、色合い、シャープネス、必要に応じて、ノイズ低減フィルタの効果設定、色温度、γ補正のγ値などがあり、これらパラメータの何れか、あるいは組み合わせを指定することができる。しかしながら、本発明はこれに限定されず、上述の絵画調を表現するために妥当であれば、如何なるパラメータを含んでもよい。
本実施形態では、各種絵画調ごとに、上述のパラメータの最適な組み合わせが予め設定されており、絵画変換内容記憶部１１３に記憶された絵画変換処理内容に含まれているものとする。
【００３４】
絵画変換内容記憶部１１３に設定された絵画調は、コントラスト、明るさ、色の濃さ、色合い、シャープネスなどの複数のパラメータの組み合わせにより規定することができる。例えば、「日本絵画調」に対しては、陰影がなく色調が単調となるようなパラメータを設定してもよく、一方、「西洋絵画調」に対しては、陰影が強調され色調が濃厚となるパラメータを設定してもよい。
【００３５】
このようにして、原フレーム画像の画像データに対して絵画変換部１０４が絵画変換処理を実行することによって得られたフレーム画像の画像データは、一旦、絵画変換画像記憶部１１４に記憶される。絵画変換部１０４が絵画変換処理を実行することによって得られたフレーム画像を以下、「絵画変換画像」と呼び、絵画変換部１０４が「絵画変換画像」を得るために絵画変換処理を実行した原フレーム画像を「元画像」と呼ぶ。
【００３６】
絵画変換画像記憶部１１４は、絵画変換部１０４が実行する絵画変換処理によって得られた絵画変換画像の画像データを記憶する。原フレーム記憶部１１１と絵画変換画像記憶部１１４とが画像記憶部を構成する。
【００３７】
表示データ生成部１０５は、データ生成順序制御部１０５Ａを含む。
データ生成順序制御部１０５Ａは、絵画変換内容記憶部１１３に記憶された表示様式に従って、特徴領域ごとに表示する優先度、即ち、順序を決定する。表示様式は、スライドショー設定モードにおいて、ユーザが操作部４３を操作して絵画変換内容記憶部１１３の絵画変換処理内容を指定することによって設定してもよい。本実施形態では、まず、顔の輪郭のみを表示する。次に、目の領域を追加して表示する。続いて、口の領域を追加して表示する。最後に、背景を含めた全体図を表示する。即ち、絵画変換内容記憶部１１３に記憶された絵画変換処理内容には、顔の輪郭が最大の優先度を有する特徴領域として指定されており、続いて、特徴領域として目、鼻、口、背景を含めた全体が優先度の高い順に指定されている。しかし、これは一例にすぎず、絵画変換内容記憶部１１３に記憶された絵画変換処理内容を指定することによって、任意に設定可能である。
【００３８】
表示データ生成部１０５は、絵画変換画像記憶部１１４に記憶された、絵画変換画像の画像データから特徴領域ごとに画像データを抽出し、表示部４１に表示させる画像の画像データ（以下、「表示データ」と呼ぶ）を生成する。
【００３９】
具体的には、表示データ生成部１０５は、顔検出部１０３が検出した、目、鼻、口などの各領域、及び輪郭の位置情報に基づいて、絵画変換画像記憶部１１４に記憶された絵画変換画像から、目、鼻、口などの各領域、及び輪郭に対応する画像データを、特徴領域の画像データとして取得する。表示データ生成部１０５は、こうして取得した取得した絵画変換画像の特徴領域ごとの画像データから、表示部４１に表示させる画像の画像データを生成する。絵画変換画像を特徴領域ごとに表示する順序は、データ生成順序制御部１０５Ａが決定する順序に従う。顔検出部１０３と表示データ生成部１０５とが画像データ抽出部を構成する。
【００４０】
表示データ記憶部１１５は、表示データ生成部１０５が生成した表示データを逐次記憶する。即ち、表示データ記憶部１１５に記憶される表示データは、表示データ生成部１０５が、顔の輪郭、目、鼻、口、背景を含めた全体の画像と、新たに表示データを生成する都度、随時、更新されていく。
【００４１】
表示制御部３５は表示部４１を制御して、表示データ記憶部１１５に記憶された表示データが更新される都度、更新された表示データに基づいて、表示部４１に表示させる画像を切り替える。このため、表示部４１に表示される画像は、表示データ生成部１０５によって新たな表示データが生成される都度、更新されていく。表示部４１が画像表示部を構成する。
【００４２】
図３に、データ処理部１２によって実行されるスライドショー形式の画像表示の概要を示す。ここでは、表示部４１には写真Ａが現在の画像として表示されている。写真Ａに変わって表示される画像を、元画像Ｂ１に絵画変換処理をして生成した絵画変換画像Ｂ２とする。図３に示すように、写真Ａに替えて画像として絵画変換画像Ｂ２を表示する際、一度に全てを表示するのではなく、まず、絵画変換画像Ｂ２の顔の輪郭Ｐ１が表示部４１に表示される。
【００４３】
具体的には、図３において、表示データ記憶部１１５には、現在の画像として写真Ａの画像データが記憶されている。表示制御部３５は、表示部４１を制御して、写真Ａの画像の画像データに基づいて、表示部４１に写真Ａを表示させている。
【００４４】
次に、表示制御部３５は表示部４１に、写真Ａの画像データに替えて、絵画変換処理をした画像、即ち、絵画変換画像Ｂ２の画像データの顔の輪郭Ｐ１のみに対応する画像データを表示させる。具体的には、表示データ生成部１０５は、元画像Ｂ１に対して顔検出部１０３が取得した位置情報に基づいて、絵画変換画像記憶部１１４から顔の輪郭Ｐ１に対応する絵画変換画像の画像データを取得し、表示データとして、表示データ記憶部１１５に記憶する。表示制御部３５は表示部４１を制御して、表示データ記憶部１１５に記憶された絵画変換画像Ｂ２の画像データの顔の輪郭Ｐ１のみの画像を表示部４１に表示させる。輪郭を表示することによって、ユーザにこれから表示する画像に関する概要を提示できる。
【００４５】
図４に、データ処理部１２によって続いて実行される画像の表示方式の一例を示す。図３の絵画変換画像Ｂ２の顔の輪郭Ｐ１から引き続き、目Ｐ２、次に鼻Ｐ３と口Ｐ４、最後に、背景を含めた全体図Ｐ５が表示部４１に表示されていく。
【００４６】
具体的には、表示データ生成部１０５は、絵画変換画像Ｂ２の顔の輪郭Ｐ１に続いて、顔検出部１０３が取得した位置情報に基づいて、絵画変換画像記憶部１１４から目Ｐ２の領域に対応する画像データを取得し、表示データとして、既に取得した顔の輪郭Ｐ１の画像データとともに表示データ記憶部１１５に記憶する。あるいは、顔の輪郭Ｐ１に対応する画像データに目Ｐ２の領域の画像データを重ね合わせる代わりに、絵画変換画像記憶部１１４から顔の輪郭Ｐ１と目Ｐ２の領域に対応する画像データを取得し、表示データとして表示データ記憶部１１５に記憶してもよい。表示制御部３５は表示部４１を制御して、表示データ記憶部１１５に記憶された絵画変換画像Ｂ２の画像データに基づいて顔の輪郭Ｐ１と目Ｐ２の領域の画像を表示部４１に表示させる。
【００４７】
さらに、表示データ生成部１０５は、絵画変換画像Ｂ２の顔の輪郭Ｐ１と目Ｐ２の領域に続いて、顔検出部１０３が取得した位置情報に基づいて、絵画変換画像記憶部１１４から鼻Ｐ３の領域に対応する画像データを取得し、表示データとして、既に取得した顔の輪郭Ｐ１と目Ｐ２の画像データとともに表示データ記憶部１１５に記憶する。あるいは、鼻Ｐ３の領域に対応する画像データに顔の輪郭Ｐ１と目Ｐ２の領域に対応する画像データを重ね合わせる代わりに、絵画変換画像記憶部１１４からの顔の輪郭Ｐ１と目Ｐ２と鼻Ｐ３の領域に対応する画像データを取得し、表示データとして表示データ記憶部１１５に記憶してもよい。表示制御部３５は表示部４１を制御して、表示データ記憶部１１５に記憶された絵画変換画像Ｂ２の画像データに基づいて、顔の輪郭Ｐ１と目Ｐ２と鼻Ｐ３の領域の画像を表示部４１に表示させる。
【００４８】
続いて、表示データ生成部１０５は、絵画変換画像Ｂ２の顔の輪郭Ｐ１と目Ｐ２と鼻Ｐ３の領域に続いて、顔検出部１０３が取得した位置情報に基づいて、絵画変換画像記憶部１１４から口Ｐ４の領域に対応する画像データを取得し、表示データとして、既に取得した顔の輪郭Ｐ１と目Ｐ２と鼻Ｐ３の画像データとともに表示データ記憶部１１５に記憶する。あるいは、口Ｐ４の領域に対応する画像データを顔の輪郭Ｐ１と目Ｐ２と鼻Ｐ３の領域に対応する画像データに重ね合わせる代わりに、絵画変換画像記憶部１１４から顔の輪郭Ｐ１と目Ｐ２と鼻Ｐ３と口Ｐ４に対応する画像データを取得し、表示データとして表示データ記憶部１１５に記憶してもよい。表示制御部３５は表示部４１を制御して、表示データ記憶部１１５に記憶された絵画変換画像Ｂ２の画像データに基づいて、顔の輪郭Ｐ１と目Ｐ２と鼻Ｐ３と口Ｐ４の領域の画像を表示部４１に表示させる。
【００４９】
最後に、表示データ生成部１０５は、絵画変換画像Ｂ２の顔の輪郭Ｐ１と目Ｐ２と鼻Ｐ３と口Ｐ４に続いて、絵画変換画像記憶部１１４から、残りの背景を含めた全体図Ｐ５の領域に対応する画像データを取得し、表示データとして、既に取得した顔の輪郭Ｐ１と目Ｐ２と鼻Ｐ３と口Ｐ４の画像データとともに表示データ記憶部１１５に記憶する。あるいは、顔の輪郭Ｐ１と目Ｐ２と鼻Ｐ３と口Ｐ４に対応する画像データに、残りの背景を含めた全体図Ｐ５に対応する画像データを重ね合わせる代わりに、絵画変換画像記憶部１１４から顔の輪郭Ｐ１と目Ｐ２と鼻Ｐ３と口Ｐ４と背景を含めた全体図Ｐ５に対応する画像データを取得し、表示データとして表示データ記憶部１１５に記憶してもよい。表示制御部３５は表示部４１を制御して、表示データ記憶部１１５に記憶された絵画変換画像Ｂ２の画像データに基づいて、顔の輪郭Ｐ１と目Ｐ２と鼻Ｐ３と口Ｐ４と背景も含めた全体図Ｐ５の画像を表示部４１に表示させる。このように、このように、画像の全体を表示する迄の間に画像の腰部が、顔の輪郭Ｐ１、目Ｐ２、鼻Ｐ３、口Ｐ４、全体図Ｐ５など特徴領域ごとに徐々に表示することができるので、ユーザにこれから表示する画像に対する関心と興味、情報を有効に提供することができる。さらに、これから表示する絵画変換画像Ｂ２、即ち、画像に対する興味を引き立てることができる。したがって、本実施形態のフォトフレーム１によると、ユーザを楽しませることができる趣向を凝らした方式で画像を表示することができる。
【００５０】
なお、表示データ生成部１０５が生成する都度、表示データとして表示データ記憶部１１５に記憶された絵画変換画像の画像データを、リムーバブル記憶媒体５１に時系列に従って記憶させるようにしてもよい。これによって、他の表示装置であっても同様の方式で画像の表示を行うことができる。
【００５１】
［スライドショー処理のフロー］
モード切替キーの操作に伴いスライドショーモードに切り替えられると、ＣＰＵ３１がＲＯＭ３２に記憶されたスライドショーモード用のプログラムに従って、データ処理部１２を含む各種機能を制御する。以下、スライドショーモードで実行される処理を、画像を表示する際の処理を中心に説明する。
ここでは、スライドショーモードを例に説明するが、画像を表示する際、前後に画像が表示されか否かは重要ではない。表示する画像が、切り替えて表示される複数の画像の中の最初の画像であってもよく、その一つであってもよく、あるいは、最後の画像であってもよい。あるいは、表示する画像は、表示される唯一の画像であってもよい。
【００５２】
図５及び図６、さらに図４を参照して、絵画変換処理を含む画像を表示する処理の流れを説明する。図５は、絵画変換処理を含むスライドショー処理の流れの一例を説明するフローチャートである。図６は、データ処理部１２の各構成部の機能とスライドショー形式の画像生成との関係を示す図である。
【００５３】
以下に示す処理は、操作者が操作部４３のモード切替キーを操作して、スライドショーモードに切り替えられると、まず、表示制御部３５は、メモリ３４の表示データ記憶部１１５に格納された表示画像データを読み出し、表示画像データにより表現される表示画像を、表示部４１に表示させて開始する。
【００５４】
具体的には、顔検出部１０３が原フレーム記憶部１１１に記憶された画像データから絵画変換処理する元画像Ｂ１の画像データを読み出し（ステップＳ１１）、顔検出を実行し（ステップＳ１２）、顔の輪郭Ｐ１、目Ｐ２、鼻Ｐ３、口Ｐ４などの特徴領域の情報を画像データから抽出する。図６の例では、顔検出部１０３は、原フレーム記憶部１１１に記憶された少女の写真を元画像Ｂ１として、顔の輪郭Ｐ１、目Ｐ２、鼻Ｐ３、口Ｐ４などの特徴領域の情報を抽出する。
【００５５】
絵画変換部１０４は、読み出された画像データに絵画変換処理を実行し、得られた絵画変換画像の画像データを絵画変換画像記憶部１１４に保存する（ステップＳ１４）。図６の例では、絵画変換部１０４は、顔の輪郭Ｐ１、目Ｐ２、鼻Ｐ３、口Ｐ４、全体図Ｐ５に含まれる背景などに特徴をもたせた絵画変換画像を生成して絵画変換画像記憶部１１４に保存する。
【００５６】
表示データ生成部１０５は、顔検出部１０３で得られた顔の輪郭Ｐ１、目Ｐ２、鼻Ｐ３、口Ｐ４、全体図Ｐ５などの特徴領域の情報に基づいて、絵画変換画像記憶部１１４に記憶された絵画変換画像の画像データから顔の輪郭Ｐ１、目Ｐ２、鼻Ｐ３、口Ｐ４、全体図Ｐ５などの特徴領域の画像データを抽出する。また、表示データ生成部１０５のデータ生成順序制御部１０５Ａは、特徴領域ごと表示する順序を決定する（ステップＳ１５）。本実施形態では、データ生成順序制御部１０５Ａは、絵画変換内容記憶部１１３に記憶された表示様式に従って、特徴領域ごとに、絵画変換画像を表示する順序を決定する。本実施形態で、データ生成順序制御部１０５Ａが決定する表示順序は次の通りである。最初に顔の輪郭Ｐ１のみを表示する。次に、目Ｐ２の領域を追加して表示する。続いて、鼻Ｐ３、口Ｐ４の領域を追加して表示する。最後に、背景を含めた全体図を表示する。
【００５７】
表示データ生成部１０５は、顔検出部１０３で得られた特徴領域の情報に基づいて、絵画変換画像記憶部１１４に記憶された絵画変換画像の輪郭Ｐ１の画像データを抽出して表示データを生成し、表示データ記憶部１１５に記憶する。表示制御部３５は、こうして表示データ記憶部１１５に記憶された最新の表示データを表示部４１に送出して、表示部４１に絵画変換画像の輪郭Ｐ１の画像を表示させる（ステップＳ１６）。図６の例では、表示データ生成部１０５は、まず、輪郭Ｐ１の領域の表示データを生成し、表示データ記憶部１１５に記憶させる。表示制御部３５は表示データに基づいて、表示部４１に図３の絵画変換画像の輪郭Ｐ１の画像を表示させる。
【００５８】
続いて、表示データ生成部１０５は、顔検出部１０３で得られた特徴領域の情報に基づいて、絵画変換画像記憶部１１４に記憶された絵画変換画像の目Ｐ２の領域に対応する画像データを抽出して、表示データ記憶部１１５に記憶された表示データに追加し、表示データを更新する。表示制御部３５は、こうして表示データ記憶部１１５で更新された最新の表示データを表示部４１に送出して、表示部４１に絵画変換画像の輪郭Ｐ１と目Ｐ２の画像を表示させる（ステップＳ１７）。こうして表示制御部３５は表示データに基づいて、表示部４１に図４の絵画変換画像の輪郭Ｐ１と目Ｐ２の画像を表示させる。
【００５９】
続いて、表示データ生成部１０５は、顔検出部１０３で得られた特徴領域の情報に基づいて、絵画変換画像記憶部１１４に記憶された絵画変換画像の鼻Ｐ３の領域に対応する画像データを抽出して、表示データ記憶部１１５に記憶された表示データに追加し、表示データを更新する。表示制御部３５は、こうして表示データ記憶部１１５で更新された最新の表示データを表示部４１に送出して、表示部４１に絵画変換画像の輪郭Ｐ１と目Ｐ２と鼻Ｐ３との画像を表示させる（ステップＳ１８）。
【００６０】
続いて、表示データ生成部１０５は、顔検出部１０３で得られた特徴領域の情報に基づいて、絵画変換画像記憶部１１４に記憶された絵画変換画像の口Ｐ４の領域に対応する画像データを抽出して、表示データ記憶部１１５に記憶された表示データに追加し、表示データを更新する。表示制御部３５は、こうして表示データ記憶部１１５で更新された最新の表示データを表示部４１に送出して、表示部４１に絵画変換画像の輪郭Ｐ１と目Ｐ２と鼻Ｐ３と口Ｐ４の画像を表示させる（ステップＳ１９）。こうして表示制御部３５は表示データに基づいて、表示部４１に図４の絵画変換画像の鼻Ｐ３と口Ｐ４を追加した画像を表示させる。
【００６１】
続いて、表示データ生成部１０５は、顔検出部１０３で得られた特徴領域の情報に基づいて、絵画変換画像記憶部１１４に記憶された絵画変換画像の背景を含めた全体図Ｐ５に対応する画像データを抽出して、表示データ記憶部１１５に記憶された表示データに追加し、表示データを更新する。表示制御部３５は、こうして表示データ記憶部１１５で更新された最新の表示データを表示部４１に送出して、表示部４１に絵画変換画像の背景を含む全体Ｐ５の画像を表示させる（ステップＳ２０）。こうして表示制御部３５は表示データに基づいて、表示部４１に図４の絵画変換画像の背景を含めた全体Ｐ５の画像を表示させる。
【００６２】
このように、本実施形態のフォトフレーム１は、絵画変換画像を新たな画像として表示させる際に、該画像を特徴領域ごとに徐々に表示させることができる。したがって、本実施の形態のフォトフレーム１は、絵画変換画像の全体を表示する迄の間にユーザに表示する絵画変換画像に対する関心と興味、情報を有効に提供することができる。さらに、これから表示する絵画変換画像に対する興味を引き立てることができるので、ユーザを楽しませることができる趣向を凝らした方式で画像を表示することができる。
【００６３】
また、本実施形態において、図４を参照して絵画変換処理を施した画像を特徴領域ごとに徐々に表示する表示方式について説明したが、本発明はこれに限定されず、様々な表示方式を採用することができる。
【００６４】
例えば、絵画変換処理されていない画像を表示する場合にも、同様の表示方式で特徴領域ごとに徐々に表示してもよい。
【００６５】
具体的には、絵画変換内容記憶部１１３に記憶された絵画変換処理内容を「元画像のみ表示」として指定する。表示データ生成部１０５は、顔検出部１０３によって検出された特徴領域の位置情報に基づいて、原フレーム記憶部１１１に記憶された絵画変換されていない原フレーム画像、即ち、元画像の画像データから、特徴領域の画像データを抽出する。表示データ生成部１０５はこうして抽出した元画像の特徴領域ごとの画像データを表示データとして表示データ記憶部１１５に記憶する。表示制御部３５は、表示データ記憶部１１５に記憶された表示データに基づいて表示部４１を制御して、元画像を特徴領域ごとに徐々に表示する。このように、本実施形態によれば、絵画変換処理されていない画像であっても、画像の全体を表示する迄の間に画像の腰部を特徴領域ごとに徐々に表示することができるので、これから表示する画像に対する関心と興味、情報を有効に提供することができる。さらに、これから表示する画像に対する興味を引き立てることができるので、ユーザを楽しませることができる趣向を凝らした方式で画像を表示することができる。
【００６６】
また、絵画変換処理を施した画像を表示する場合についても、図４を参照して説明した表示方式の他にも様々な表示形式が可能である。図７に他の表示方式の例を表示方式２、表示方式３として示す。また、図８に、絵画変換内容記憶部１１３に記憶された絵画変換処理内容テーブル１１４Ａの一例を示す。
【００６７】
例えば、図７の表示方式２では、最初に、絵画変換処理を施していない元画像を特徴領域ごとに表示部４１に表示させた後、最後に絵画変換画像を表示部４１に表示させる。即ち、図７の表示方式２によると、元画像が１．輪郭、２．目と輪郭、３．目と鼻と輪郭、４．目と鼻と口と輪郭、５．全体と表示部４１に表示された後、６．絵画変換画像の全体が表示部４１に表示される。
【００６８】
具体的には、表示データ生成部１０５は、顔検出部１０３によって検出された特徴領域の位置情報に基づいて、原フレーム記憶部１１１に記憶された原フレーム画像データから、元画像の特徴領域の画像データを抽出し、データ生成順序制御部１０５Ａで決定された順序、この場合、１．輪郭、２．目と輪郭、３．目と鼻と輪郭、４．目と鼻と口と輪郭、５．全体の順に表示データを生成する。表示データ生成部１０５は生成した表示データで随時、表示データ記憶部１１５に記憶された表示データを更新する。表示データ生成部１０５は最後に、絵画変換画像記憶部１１４に記憶された６．絵画変換画像の全体の画像データを表示データとして生成し、表示データ記憶部１１５に記憶された表示データを更新する。
【００６９】
表示制御部３５は、表示データ記憶部１１５に格納された表示画像データに基づいて表示部４１を制御し、表示部４１に画像を表示させる。この結果、表示部４１には、図７の表示方式２の順、即ち、１．元画像の輪郭、２．元画像の目と輪郭、３．元画像の目と鼻と輪郭、４．元画像の目と鼻と口と輪郭、５．元画像の全体、６．絵画変換画像の全体の順番に画像が表示される。
【００７０】
また、絵画変換内容記憶部１１３にはこの一連の絵画変換処理内容を「表示方式２」として記録しておけばよい。これによって、ユーザは操作部４３を操作して、絵画変換内容記憶部１１３の「表示方式２」という設定を選択すれば、元画像を特徴領域ごとに表示した後に絵画変換画像の全体図を表示する方式による画像の表示が可能となる。
【００７１】
このように表示方式２では、表示制御部３５は、画像データ抽出部によって抽出された元画像の複数の特徴領域の画像データと元画像を絵画変換処理して得られた絵画変換画像の画像データに基づいて、元画像を優先度に従って特徴領域ごとに順に徐々に表示させた後、最後に絵画変換画像の全体を表示させることができる。このように、絵画変換画像の全体を表示する迄の間に元画像を用いて画像の腰部を特徴領域ごとに徐々に表示することができるので、これから表示する画像に対する関心と興味、情報を有効に提供することができる。さらに、これから表示する絵画変換画像、即ち、画像に対する興味を引き立てることができるので、ユーザを楽しませることができる趣向を凝らした方式で画像を表示することができる。
【００７２】
ここで、絵画変換部１０４が原フレーム記憶部１１１に記憶された元画像の原フレーム画像データに絵画変換処理を実行して絵画変換画像を生成するタイミングは、表示制御部３５が元画像の背景を含めた全体画像を表示した直後に、表示部４１に絵画変換画像の全体画像を適切に表示できるタイミングであれば、いつでもよい。例えば、絵画変換部１０４は事前に元画像の原フレーム画像データに絵画変換処理を実行して、生成した絵画変換画像を絵画変換画像記憶部１１４に記憶しておいてもよい。また、表示制御部３５が、元画像の背景を含めた全体画像を表示した直後に、表示部４１に絵画変換画像を適切に表示できるタイミングであれば、例えば、表示制御部３５が元画像の背景を含めた全体画像を表示する直前、又は表示した直後であっても可能である。
【００７３】
図７の表示方式３では、特徴領域ごとに元画像と絵画変換画像とを交互に表示し、最後に絵画変換画像の全体を表示する。即ち、図７の表示方式２によると、１．元画像の輪郭、２．絵画変換画像の輪郭、３．元画像の目と輪郭、４．絵画変換画像の目と輪郭、５．元画像の目と鼻と輪郭、６．絵画変換画像の目と鼻と輪郭、７．元画像の目と鼻と口と輪郭、８．絵画変換画像の目と鼻と口と輪郭、９．元画像の全体、８．絵画変換画像の全体という順で表示部４１に表示される。
【００７４】
具体的には、まず、絵画変換部１０４は、原フレーム画像データから元画像に絵画変換処理を実行して、生成した絵画変換画像を絵画変換画像記憶部１１４に記憶しておく。
【００７５】
具体的には、表示データ生成部１０５は、顔検出部１０３によって検出された特徴領域の位置情報に基づいて、原フレーム記憶部１１１に記憶された元画像の画像データと絵画変換画像記憶部１１４に記憶された絵画変換画像の画像データから、特徴領域の画像データをそれぞれ抽出し、データ生成順序制御部１０５Ａで決定された順序、この場合、１．元画像の輪郭、２．絵画変換画像の輪郭、３．元画像の目と輪郭、４．絵画変換画像の目と輪郭、５．元画像の目と鼻と輪郭、６．絵画変換画像の目と鼻と輪郭、７．元画像の目と鼻と口と輪郭、８．絵画変換画像の目と鼻と口と輪郭、９．元画像の全体、８．絵画変換画像の全体という順に表示データを生成する。表示データ生成部１０５は生成した表示データで随時、表示データ記憶部１１５に記憶された表示データを更新する。
【００７６】
表示制御部３５は、表示データ記憶部１１５に格納された表示画像データに基づいて表示部４１を制御し、表示部４１に画像を表示させる。この結果、表示部４１には、図７の表示方式３の順、即ち、１．元画像の輪郭、２．絵画変換画像の輪郭、３．元画像の目と輪郭、４．絵画変換画像の目と輪郭、５．元画像の目と鼻と輪郭、６．絵画変換画像の目と鼻と輪郭、７．元画像の目と鼻と口と輪郭、８．絵画変換画像の目と鼻と口と輪郭、９．元画像の全体、８．絵画変換画像の全体の順番に画像が表示される。
【００７７】
また、絵画変換内容記憶部１１３にはこの一連の絵画変換処理内容を「表示方式３」として記録しておけばよい。これによって、ユーザは操作部４３を操作して、絵画変換内容記憶部１１３の「表示方式３」という設定を選択すれば、元画像を特徴領域ごとに表示した後に絵画変換画像の全体図を表示する方式による画像の表示が可能となる。
【００７８】
このように表示方式３では、表示制御部３５は、画像データ抽出部によって抽出された元画像と絵画変換画像のそれぞれの複数の特徴領域の画像データに基づいて、優先度に従って元画像と絵画変換画像の特徴領域を交互に表示させた後、最後に絵画変換画像の絵画変換画像を表示させることができる。このように、絵画変換画像の全体を表示する迄の間に元画像と絵画変換画像を用いて画像の腰部を特徴領域ごとに徐々に表示することができるので、これから表示する画像に対する関心と興味、情報を有効に提供することができる。さらに、これから表示する絵画変換画像、即ち、画像に対する興味を引き立てることができるので、ユーザを楽しませることができる趣向を凝らした方式で画像を表示することができる。
【００７９】
ここで、絵画変換部１０４は事前に原フレーム記憶部１１１に記憶された元画像の画像データに絵画変換処理を実行して、生成した絵画変換画像を絵画変換画像記憶部１１４に記憶しておくものとして説明したが、絵画変換部１０４が元画像の画像データに絵画変換を実行するタイミングは、表示制御部３５が特徴領域ごとに、特徴領域ごとの元画像と絵画変換画像を徐々に適切に表示できるタイミングであればいつでもよい。また、絵画変換部１０４は、元画像の画像データ全体に絵画変換を実行する代わりに、元画像の画像データに特徴領域ごとに絵画変換を実行してもよい。この場合でも、絵画変換部１０４が元画像の画像データの全体に絵画変換を実行するタイミング、又は、元画像の画像データに特徴領域ごとに絵画変換を実行するタイミングは、表示制御部３５が特徴領域ごとに、特徴領域ごとの元画像と絵画変換画像を徐々に適切に表示できるのであれば、表示制御部３５が元画像の当該特徴領域を表示する直前、又は表示した直後であっても可能である。
【００８０】
以上、本発明の実施形態について説明したが、本発明は上記実施形態に限定されるものではなく、本発明の目的を達成できる範囲での変形、改良などは本発明に含まれるものである。
【００８１】
例えば、上述した実施形態では、一例として、特徴領域を顔の輪郭、目、鼻、口とし、顔検出部１０３を用いて特徴領域を検出する構成として説明した。しかしながら、表示する画像に応じて、顔の領域の代わりに、例えば、構造、色彩などに基づいて識別可能であれば、建築物、風景などを特徴領域として用いることも可能である。その場合は、顔検出部１０３に代えて、当該特徴領域を検出するために好適な検出部を採用することができる。
【００８２】
また、上述した実施形態では、本発明が適用される画像処理装置は、スライドショー機能を有するフォトフレームとして構成される例として説明した。しかしながら、本発明は、スライドショー機能を有するフォトフレームに特に限定されず、電子機器一般に適用することができる。具体的には例えば、本発明は、デジタルカメラ、携帯型ナビゲーション装置、ポータブルゲーム機、プロジェクタ、テレビジョン受像器、あるいは、デジタルカメラから外部供給された撮像画像を再生表示する情報処理装置など、画像を表示する装置などに適用可能である。
【００８３】
上述した一連の処理は、ハードウェアにより実行させることもできるし、ソフトウェアにより実行させることもできる。
【００８４】
一連の処理をソフトウェアにより実行させる場合には、そのソフトウェアを構成するプログラムが、コンピュータなどにネットワークや記録媒体からインストールされる。コンピュータは、専用のハードウェアに組み込まれているコンピュータであってもよい。また、コンピュータは、各種のプログラムをインストールすることで、各種の機能を実行することが可能なコンピュータ、例えば汎用のパソコンであってもよい。
【００８５】
このようなプログラムを含む記録媒体は、図示はしないが、ユーザにプログラムを提供するために装置本体とは別に配布されるリムーバブルメディアにより構成されるだけでなく、装置本体に予め組み込まれた状態でユーザに提供される記録媒体などで構成される。リムーバブルメディアは、例えば、磁気ディスク（フロッピディスクを含む）、光ディスク、又は光磁気ディスクなどにより構成される。光ディスクは、例えば、ＣＤ−ＲＯＭ（Ｃｏｍｐａｃｔ  Ｄｉｓｋ−Ｒｅａｄ  Ｏｎｌｙ  Ｍｅｍｏｒｙ），ＤＶＤ（Ｄｉｇｉｔａｌ  Ｖｅｒｓａｔｉｌｅ  Ｄｉｓｋ）などにより構成される。光磁気ディスクは、ＭＤ（Ｍｉｎｉ−Ｄｉｓｋ）などにより構成される。また、装置本体に予め組み込まれた状態でユーザに提供される記録媒体は、例えば、プログラムが記録されている図１のＲＯＭ３２や、図示せぬハードディスクなどで構成される。
【００８６】
なお、本明細書において、記録媒体に記録されるプログラムを記述するステップは、その順序に沿って時系列的に行われる処理はもちろん、必ずしも時系列的に処理されなくとも、並列的あるいは個別に実行される処理をも含むものである。
【符号の説明】
【００８７】
１・・・フォトフレーム、１２・・・データ処理部（画像処理装置）、１３・・・ユーザインタフェース部、３１・・・ＣＰＵ、３２・・・ＲＯＭ（プログラム）、３３・・・ＲＡＭ、３４・・・メモリ、３５・・・表示制御部（画像表示制御部）、３６・・・画像処理部、４１・・・表示部（画像表示部）、４３・・・操作部、４３・・・通信部、４５・・・ドライブ、５１・・・リムーバブル記憶媒体、１１１・・・原フレーム記憶部（画像記憶部）、１０３・・・顔検出部（画像データ抽出部）、１０４・・・絵画変換部、１０５・・・表示データ生成部（画像データ抽出部）、１０５Ａ・・・データ生成順序制御部、顔検出部１１３・・・絵画変換内容記憶部（優先度記憶部）、１１４・・・絵画変換画像記憶部（画像記憶部）、１１５・・・表示データ記憶部
【図１】
0005408037.tif 000002
【図２】
0005408037.tif 000003
【図３】
0005408037.tif 000004
【図４】
0005408037.tif 000005
【図５】
0005408037.tif 000006
【図６】
0005408037.tif 000007
【図７】
0005408037.tif 000008
【図８】
0005408037.tif 000009
【図９】
0005408037.tif 000010